(57)【特許請求の範囲】
【請求項１】
上端を開口した有底筒状をなす容器体２と、該容器体上面に下面を固着させて容器体上端開口を閉塞するとともに、周壁５上端縁より延設した頂壁９の中央部を環状の垂壁10を介して陥没部9aに形成し、且つ、周壁５前部外面に前面及び上面を開放した凹部形状をなす唇当接部11を形成してなる蓋体３とを備え、上記唇当接部11後方の頂壁９前部から垂壁10前部を介して陥没部9aに至る部分に亘って薄肉破断部12により囲成されたプルリング14付きの切り取り蓋13を設け、上記唇当接部11及び非陥没部分の頂壁９上面全面を被覆して強制的な剥離が可能に固着させるとともに、唇当接部部分の両側上端部より非陥没部分の頂壁９に形成された切り取り蓋13の両側位置を前後にそれぞれ縦断する破断部16を形成したシート材４を設けてなることを特徴とする合成樹脂製の飲料用容器。
【請求項２】
上記シート材４に代えて、少なくとも上記唇当接部11及び非陥没部分の頂壁９に形成された切り取り蓋13を被覆して強制的な剥離が可能に固着させたシート材4Aを設けてなる請求項１記載の合成樹脂製の飲料用容器。
【発明の詳細な説明】
【０００１】
【発明の属する技術分野】
本発明は飲料用容器に関する。
【０００２】
【従来の技術】
飲料用容器として極一般にはアルミ，鉄等の金属で形成された円筒状をなし、上面に開口用のレバーを設けたものが知られている。
【０００３】
【発明が解決しようとする課題】
しかしながら、金属は値段も高く、また、開口用のレバーは比較的固く、開口し難い場合が多々あり、特に力の無い子供や老人にとっては不向きである。
【０００４】
また、開封後に開口部分に唇を当てて収納液を飲むが、従来の容器ではこの唇を当てる部分が露出しているため、埃がかかる等汚損し易い。
【０００５】
本発明はこの様な点に鑑みなされたもので、全体を合成樹脂により形成するとともに、その構造も簡単で安価に製造でき、また、飲み口部分を開封前には被覆しておいて衛生的に収納液を飲むことが出来る優れた飲料用容器を提案するものである。
【０００６】
【課題を解決するための手段】
本請求項１発明の容器は上記課題を解決するため、上端を開口した有底筒状をなす容器体２と、該容器体上面に下面を固着させて容器体上端開口を閉塞するとともに、周壁５上端縁より延設した頂壁９の中央部を環状の垂壁10を介して陥没部9aに形成し、且つ、周壁５前部外面に前面及び上面を開放した凹部形状をなす唇当接部11を形成してなる蓋体３とを備え、上記唇当接部11後方の頂壁９前部から垂壁10前部を介して陥没部9aに至る部分に亘って薄肉破断部12により囲成されたプルリング14付きの切り取り蓋13を設け、上記唇当接部11及び非陥没部分の頂壁９上面全面を被覆して強制的な剥離が可能に固着させるとともに、唇当接部部分の両側上端部より非陥没部分の頂壁９に形成された切り取り蓋13の両側位置を前後にそれぞれ縦断する破断部16を形成したシート材４を設けてなることを特徴とする合成樹脂製の飲料用容器として構成した。
【０００７】
また、請求項２発明の容器は、上記シート材４に代えて、少なくとも上記唇当接部11及び非陥没部分の頂壁９に形成された切り取り蓋13を被覆して強制的な剥離が可能に固着させたシート材4Aを設けてなる請求項１記載の合成樹脂製の飲料用容器として構成した。
【０００８】
【発明の実施の形態】
以下、本発明の実施例の形態を図面を参照して説明する。
本発明の飲料用容器１は、容器体２と、蓋体３と、シート材４とを備えている。
【０００９】
容器体２は合成樹脂により形成されたもので、周壁５上端縁より外方へフランジ６を突設してなる上端開口の有底筒状で、内部に飲料物を収納させる。その形状は図面に示す実施例の如く円筒状であっても、或いはその他の筒状であっても良い。
【００１０】
蓋体３も合成樹脂により形成され、上記フランジ６上面に固着させたフランジ７を周壁８下端縁より外方へ延設するとともに、周壁８上端縁より延設した頂壁９により容器体上端開口を閉塞する如く構成している。また、頂壁９中央部を環状の垂壁10を介して陥没部9aに形成し、周壁８の前部外面には前面及び上面開放の凹部状をなす唇当接部11を形成している。この唇当接部11は、一般的な唇を押し当てるのに都合の良い大きさに構成したもので、本実施例では、左右を横断する垂壁外面及び該垂壁下端縁に連設して前方へ若干傾斜下降する傾斜壁外面とで構成している。
【００１１】
更に、蓋体３には上記唇当接部11の後方の頂壁９前部から垂壁10前部を介して陥没部9aに至る部分に亘って薄肉破断部12により囲成された切り取り蓋13を設けている。本実施例では、切り取り蓋13は、陥没部9a部分では一つの頂点を後方中央に向けた三角形状をなし、上記垂壁10及び非陥没部分の頂壁９部分ではそれぞれ横長の矩形状に形成している。また、切り取り蓋の後端部からはプルリング14を一体に突設しており、このプルリング14を引き上げることにより、薄肉破断部12が切断されて切り取り蓋13が除去され、飲み口15が開口する如く構成している。
【００１２】
蓋体３の容器体２への固着は超音波溶接等の従来行われている方法によりフランジ相互を融着させることにより行える。
【００１３】
シート材４は、インモールド成形等の方法により、蓋体３成形時に蓋体に固定させたもので、上記唇当接部11及び非陥没部分の頂壁９上面全面を被覆して強制的な剥離が可能に固着させている。また、唇当接部部分のシート材両側上端部より非陥没部分の頂壁９に形成された切り取り蓋13の両側位置を前後にそれぞれ縦断する破断部16を形成している。この破断部16は、図示例の如きミシン目状に構成されたものであっても、或いは薄肉に形成されたものであっても、比較的容易に破断が可能な構造であれば良い。
【００１４】
このシート材４は蓋体３に対して強制的な剥離が可能に固着させている。ここでいう強制的な剥離が可能とは、常態で固着しているが、一方を固定する等して他方を引き剥がそうとすれば比較的容易に剥離することを言う。その為にはインモールド成形の際の蓋体とシート材との材質を剥離性の有る異材質で形成したり、或いはシート材の下面に蓋体と比較的剥離性のある樹脂層、所謂剥離層を形成する等して行えば良い。シート材４の材質としては、合成樹脂の単独シート或いは積層シート、或いは紙と合成樹脂の積層シート、或いは合成樹脂に金属薄膜層を施した単独或いは積層シート等が採用できる。
【００１５】
上記の如く構成した容器１を使用するに当たっては、まず、プルリング14を掴んで前方へ引き上げれば薄肉破断部12が後部より順次前方へ破断し、その際、シート材４の各破断部16が破断して切り取り蓋13に固着している部分はそのまま固着しており、唇当接部11に固着している部分は剥がれて、切り取り蓋13及び分離したシート材4aが除去され、飲み口15が開口するとともに、唇当接部11表面が露出する如く構成している。尚、蓋体頂壁９の上面には残りのシート材4bが残る。
【００１６】
図４に示す実施例は本発明の他の実施例を示すもので、本実施例では、上記シート材４に代えて、唇当接部11及び非陥没部分の頂壁９に形成された切り取り蓋13を被覆して強制的な剥離が可能に固着させたシート材4Aを設けたものである。その他の構成は上記実施例と同様であるため同符号を付して説明を省く。
【００１７】
尚、シート材4Aは、上記した如き唇当接部11と、非陥没部分の蓋体頂壁９上面のみを被覆するものに限らず、唇当接部11と、非陥没部分の蓋体頂壁９に形成された切り取り蓋13を含んだそれより広範囲の蓋体頂壁９を被覆させることも可能である。また、あまり広範囲になる場合には上記実施例の如き破断部を併用することも可能である。
【００１８】
【発明の効果】
以上説明した如く本発明容器は、周壁５上端縁より延設した頂壁９中央部を環状の垂壁10を介して陥没部9aに形成し、周壁５前部外面に前面及び上面を開放した凹部形状をなす唇当接部11を形成してなる蓋体３を有し、上記唇当接部11後方の頂壁９前部から垂壁10前部を介して陥没部9aに至る部分に亘って薄肉破断部12により囲成されたプルリング付きの切り取り蓋13を設け、上記唇当接部11及び非陥没部分の頂壁９上面全面を被覆して強制的な剥離が可能に固着させるとともに、唇当接部部分の両側上端部より非陥没部分の頂壁９に形成された切り取り蓋13の両側位置を前後にそれぞれ縦断する破断部16を形成したシート材４を設けたので、開封前には唇を当てる唇当接部がシート材により被覆されていてそこに埃等が付着する虞はなく、また、開封に当たっては、プルリングを引き上げるという極めて簡単な操作で、飲み口の開口と、唇当接部のシート材の剥離を一緒に行えるものである。
【００１９】
また、シート材はインモールド成形等により蓋体に強制的な剥離が可能に固着させているが、その際シート材は唇当接部及び非陥没部分の頂壁９上面全面を被覆して固着させる如く構成したので、シート材が蓋体頂壁の輪郭形状を備えており、型枠へのセットがし易いという製造上の利点がある。
【００２０】
また、請求項２発明の容器では、開封に当たりシート材を破断部で切断する必要が無いため、より確実容易な開封を行える。
【図面の簡単な説明】
【図１】  本発明の一実施例を示す要部斜視図である。
【図２】  同実施例の要部縦断面図である。
【図３】  同実施例の開蓋状態を示す要部斜視図である。
【図４】  本発明の他の実施例を示す要部斜視図である。
【図５】  同実施例の要部縦断面図である。
【図６】  同実施例の開蓋状態を示す要部斜視図である。
【符号の説明】
２…容器体，３…蓋体，４…シート材，５…周壁，９…頂壁，9a…陥没部，
10…垂壁，11…唇当接部，12…薄肉破断部，13…切り取り蓋，
14…プルリング，16…破断部
【図１】
0003780427.tif 000002
【図２】
0003780427.tif 000003
【図３】
0003780427.tif 000004
【図４】
0003780427.tif 000005
【図５】
0003780427.tif 000006
【図６】
0003780427.tif 000007